(57)【要約】  車載操作装置（３）は、操作スイッチ（１ａ−１〜１ａ−４）が周りに配置されて、操作スイッチ（１ａ−１〜１ａ−４）よりも突出している突起部（１ｂ）を備え、操作スイッチ（１ａ−１〜１ａ−４）に対応した模擬映像（２ａ−１〜２ａ−４）と突起部（１ｂ）に対応した模擬映像（２ｂ）とを表示部（２Ａ）に表示させる。
2019244347.tif 000002
【特許請求の範囲】
【請求項１】
複数の操作スイッチと、
複数の前記操作スイッチが周りに配置されて前記操作スイッチよりも突出している突起部と、
複数の前記操作スイッチに対応した模擬映像と前記突起部に対応した模擬映像とを表示部に表示させる表示処理部と、
前記操作スイッチの操作を受け付けて操作情報を操作対象の車載機器に出力する制御部とを備え、
前記表示処理部は、前記制御部によって前記操作スイッチの操作が受け付けられると、複数の前記操作スイッチに対応した模擬映像の表示態様または前記突起部に対応した模擬映像の表示態様を変化させること
を特徴とする車載操作装置。
【請求項２】
前記操作スイッチまたは前記突起部に対する操作者の手の接近または接触を検知する検知部を備え、
前記表示処理部は、
前記検知部によって前記操作スイッチまたは前記突起部に対する操作者の手の接近または接触が検知されている間、複数の前記操作スイッチに対応した模擬映像および前記突起部に対応した模擬映像を前記表示部に表示し、
前記検知部によって前記操作スイッチまたは前記突起部に対する操作者の手の接近または接触が検知されなくなった場合に、複数の前記操作スイッチに対応した模擬映像および前記突起部に対応した模擬映像を消すか、表示サイズを縮小すること
を特徴とする請求項１記載の車載操作装置。
【請求項３】
前記表示処理部は、前記制御部によって前記操作スイッチの操作が受け付けられると、前記操作スイッチに対応した模擬映像の表示態様を、ハイライト表示、点滅表示、ポップアップ表示、ポップダウン表示または押下を模擬した表示に変化させること
を特徴とする請求項１記載の車載操作装置。
【請求項４】
前記操作スイッチまたは前記突起部に対する操作者の手の接近または接触を検知する検知部を備え、
前記表示処理部は、前記検知部によって前記操作スイッチに対する操作者の手の接近または接触が検知されている間、前記操作スイッチに対応した模擬映像の表示態様を、ハイライト表示、点滅表示、ポップアップ表示、ポップダウン表示または押下を模擬した表示に変化させること
を特徴とする請求項１または請求項３記載の車載操作装置。
【請求項５】
前記表示処理部は、前記操作スイッチに対応した模擬映像を、前記検知部によって前記操作スイッチに対する操作者の手の接近または接触が検知された場合と前記制御部によって前記操作スイッチの操作が受け付けられた場合とで、互いに異なる表示態様に変化させること
を特徴とする請求項４記載の車載操作装置。
【請求項６】
前記表示処理部は、複数の前記操作スイッチに対応した模擬映像の表示態様を操作対象の機能ごとに変化させること
を特徴とする請求項１記載の車載操作装置。
【請求項７】
前記突起部は、操作可能であり、
前記制御部は、前記突起部に対する操作を受け付けて操作情報を操作対象の車載機器に出力すること
を特徴とする請求項１記載の車載操作装置。
【請求項８】
前記突起部は、操作ボタンまたは回転ダイヤルであること
を特徴とする請求項７記載の車載操作装置。
【請求項９】
前記表示処理部は、前記制御部によって前記突起部の操作が受け付けられると、前記突起部に対応した模擬映像を、ハイライト表示、点滅表示、ポップアップ表示、ポップダウン表示または押下を模擬した表示に変化させること
を特徴とする請求項７または請求項８記載の車載操作装置。
【請求項１０】
前記操作スイッチまたは前記突起部に対する操作者の手の接近または接触を検知する検知部を備え、
前記表示処理部は、前記検知部によって前記突起部に対する操作者の手の接近または接触が検知されている間、前記突起部に対応した模擬映像を、ハイライト表示、点滅表示または押下を模擬した表示に変化させること
を特徴とする請求項９記載の車載操作装置。
【請求項１１】
前記表示処理部は、前記突起部に対応した模擬映像を、前記検知部によって前記突起部に対する操作者の手の接近または接触が検知された場合と前記制御部によって前記突起部の操作が受け付けられた場合とで、互いに異なる表示態様に変化させること
を特徴とする請求項１０記載の車載操作装置。
【発明の詳細な説明】
【技術分野】
【０００１】
本発明は、車載機器の操作を行う車載操作装置に関する。
【背景技術】
【０００２】
近年、車載機器の操作を行うための操作部が、車室内のセンタークラスタまたはセンターコンソールに搭載された車両が一般的になっている。例えば、特許文献１には、操作部がセンタークラスタに搭載され、表示部が運転者の前方視点位置から視点移動を伴わない位置に配置された装置が記載されている。この装置では、センタークラスタに搭載された操作部の操作スイッチ群を表示部に表示している。これにより、運転者は、表示部に表示された操作スイッチ群を確認することで、操作部に視線を向けることなく、手探りで操作することが可能となる。
【先行技術文献】
【特許文献】
【０００３】
【特許文献１】特開２００１−１１３９８１号公報
【発明の概要】
【発明が解決しようとする課題】
【０００４】
特許文献１に記載された従来の装置が備える操作部は、各々が平面形状を有した複数の操作スイッチ群から構成されているので、操作対象の操作スイッチを手探りで認識し難いという課題があった。【０００５】
本発明は上記課題を解決するものであり、手探りでの操作を容易に行うことができる車載操作装置を得ることを目的とする。
【課題を解決するための手段】
【０００６】
本発明に係る車載操作装置は、複数の操作スイッチと、複数の操作スイッチが周りに配置されて操作スイッチよりも突出している突起部と、複数の操作スイッチに対応した模擬映像と突起部に対応した模擬映像とを表示部に表示させる表示処理部と、操作スイッチの操作を受け付けて操作情報を操作対象の車載機器に出力する制御部を備える。表示処理部は、制御部によって操作スイッチの操作が受け付けられると、複数の操作スイッチに対応した模擬映像の表示態様または突起部に対応した模擬映像の表示態様を変化させる。
【発明の効果】
【０００７】
本発明によれば、複数の操作スイッチが周りに配置されて、操作スイッチよりも突出している突起部を備え、複数の操作スイッチに対応した模擬映像と突起部に対応した模擬映像とを表示部に表示させる。これにより、操作者は、表示部に表示された模擬映像を見ながら、突起部を基準としてその周りにある複数の操作スイッチの中から、操作対象の操作スイッチを指の触感で判別できるので、手探りでの操作を容易に行うことができる。
【図面の簡単な説明】
【０００８】
【図１】本発明の実施の形態１に係る車載操作装置が搭載された車室内を示す図である。
【図２】実施の形態１における操作部を示す斜視図である。
【図３】実施の形態１における操作部の模擬映像を示す図である。
【図４】実施の形態１に係る車載操作装置を備えたシステムの構成を示すブロック図である。
【図５】図５Ａは、実施の形態１における操作スイッチの押下を模擬した映像を示す図である。図５Ｂは、実施の形態１における操作スイッチのポップアップ表示を示す図である。図５Ｃは、実施の形態１における突起部のポップアップ表示を示す図である。
【図６】図６Ａは、操作対象の車載機器がエアコンであるときの操作部の模擬映像を示す図である。図６Ｂは、操作対象の車載機器がオーディオ機器であるときの操作部の模擬映像を示す図である。
【図７】本発明の実施の形態２に係る車載操作装置を備えたシステムの構成を示すブロック図である。
【図８】図８Ａは、操作部が使用されないときの模擬映像の表示態様の変化を示す図である。図８Ｂは、操作者の指が操作スイッチに接近したときの模擬映像の表示態様の変化を示す図である。図８Ｃは、操作者の指が突起部に接近したときの模擬映像の表示態様の変化を示す図である。
【発明を実施するための形態】
【０００９】
以下、本発明をより詳細に説明するため、本発明を実施するための形態について、添付の図面に従って説明する。
実施の形態１．
図１は、本発明の実施の形態１に係る車載操作装置が搭載された車室内を示す図である。図２は、実施の形態１における操作部１を示す斜視図である。図３は、実施の形態１における操作部１の模擬映像２ａを示す図であり、操作部１を用いた操作対象の車載機器がナビゲーション装置である場合の模擬映像２ａを示している。実施の形態１に係る車載操作装置は、図１に示すように、車両に搭載されており、操作部１を模擬した模擬映像２ａを、表示部２Ａおよび表示部２Ｂの少なくとも一方に表示させる。なお、運転者Ａは、車載操作装置を用いて車載機器を操作する操作者である。
【００１０】
操作部１は、車載機器の操作を行うための操作部であり、例えば、運転者Ａから容易に手が届くセンターコンソールに配置される。図２に示すように、操作部１は、操作スイッチ１ａ−１〜１ａ−４および突起部１ｂを備える。操作スイッチ１ａ−１〜１ａ−４は、車載機器の動作を制御する操作を行うためのスイッチであり、例えば、平板形状を有したスイッチである。なお、操作スイッチ１ａ−１〜１ａ−４は、タッチパネルディスプレイに表示された操作スイッチであってもよい。この場合、突起部１ｂは、タッチパネルディスプレイの画面上に設けられる。
【００１１】
突起部１ｂは、操作スイッチ１ａ−１〜１ａ−４が周りに配置されて、操作スイッチ１ａ−１〜１ａ−４よりも突出している円柱形状の部材である。図２に示す突起部１ｂは円柱形状であるが、操作スイッチ１ａ−１〜１ａ−４よりも突出した形状であればよい。例えば、角柱形状であってもよいし、円錐形状、角錐形状であってもよい。
【００１２】
表示部２Ａおよび表示部２Ｂは、操作部１を模擬した模擬映像２ａを表示させる表示部であり、例えば、車両を運転している運転者Ａの視点位置からの視点の移動が少ない位置に配置される。表示部２Ａは、運転者Ａの前方視野に表示面が重畳されるヘッドアップディスプレイである。表示部２Ａは、運転者Ａに装着されるヘッドマウントディスプレイであってもよい。表示部２Ｂは、センタークラスタに配置されたディスプレイである。表示部２Ａおよび表示部２Ｂの少なくとも一方には、操作部１を模擬した模擬映像２ａが表示される。なお、必ずしも表示部２Ａおよび表示部２Ｂの両方が車室内に搭載されていなくてもよい。ただし、表示部２Ａに対する運転者Ａの視点位置からの視点の移動量は、表示部２Ｂよりも少ないので、模擬映像２ａの表示対象は、表示部２Ａの方が表示部２Ｂよりも好ましい。
【００１３】
模擬映像２ａは、操作スイッチ１ａ−１〜１ａ−４に対応した模擬映像２ａ−１〜２ａ−４と突起部１ｂに対応した模擬映像２ｂから構成されている。模擬映像２ａ−１〜２ａ−４の各々には、操作スイッチで操作可能な機能を示すテキスト情報が表示されている。例えば、模擬映像２ａ−１には、“現在地”というテキスト情報が表示されており、操作スイッチ１ａ−１が押下されると、ナビゲーション装置によって車両の現在位置が、表示部２Ａおよび表示部２Ｂの少なくとも一方に表示される。
なお、操作スイッチ１ａ−１〜１ａ−４には、操作可能な機能を示す情報が記載されておらず、これらの情報は、実施の形態１に係る車載操作装置によって模擬映像２ａ−１〜２ａ−４の各々に表示される。
【００１４】
運転者Ａは、ナビゲーション装置のメニュー画面を表示する場合、例えば表示部２Ａに表示された模擬映像２ａのうち、模擬映像２ａ−２に記載された“ＭＥＮＵ”というテキスト情報を視認することで、メニュー画面を表示する操作が操作スイッチ１ａ−２に対応すると判断する。運転者Ａは、操作部１において操作スイッチ１ａ−１〜１ａ−４よりも突出している突起部１ｂを手の触感で認識し、この突起部１ｂの周りにある操作スイッチ１ａ−１〜１ａ−４の中から、突起部１ｂを基準とした手探りで操作スイッチ１ａ−２を選択して操作する。この操作によって、ナビゲーション装置が、メニュー画面を、表示部２Ａおよび表示部２Ｂの少なくとも一方に表示する。
【００１５】
このように、操作部１は、手探りの基準となる突起部１ｂを有しており、操作スイッチ１ａ−１〜１ａ−４は、突起部１ｂの周りを囲むように配置されている。このため、操作部１は、突起部１ｂと操作スイッチ１ａ−１〜１ａ−４との間の位置関係を手探りで認識しやすくなっている。これは、単に操作パネルの中央部に凸部または凹部を配置しただけの操作部では得られない効果である。特に、操作スイッチ１ａ−１〜１ａ−４が、タッチパネルディスプレイに表示された操作スイッチである場合、突起部１ｂから離れた位置に操作スイッチが表示されると、手探りで操作対象の操作スイッチを認識することは不可能である。これに対して、操作部１では、突起部１ｂの周りを囲むように操作スイッチ１ａ−１〜１ａ−４が配置されるので、手探りであっても、突起部１ｂを基準として操作対象の操作スイッチを容易に認識することができる。
【００１６】
図４は、実施の形態１に係る車載操作装置３を備えたシステムの構成を示すブロック図である。図４に示すシステムは、表示部２Ａ、表示部２Ｂ、車載操作装置３、および車載機器４−１〜４−４を備える。なお、図４に示すシステムは、表示部２Ａおよび表示部２Ｂのいずれか一方を備えていればよい。ただし、以下では、上記システムが、表示部２Ａおよび表示部２Ｂの両方を備える場合について説明する。車載機器４−１〜４−４は、車載操作装置３の操作対象となり得る機器であり、例えば、車両に搭載されたエアコントローラ（以下、エアコンと記載する）、オーディオ機器およびメディア再生装置が挙げられる。
【００１７】
車載操作装置３は、操作部１、制御部５、および表示処理部６を備える。制御部５は、操作スイッチ１ａ−１〜１ａ−４のいずれかの操作を受け付けると、車載機器４−１〜４−４のうち、操作対象の車載機器に操作情報を出力する。操作対象の車載機器は、制御部５から入力した操作情報に対応する機能を実行する。
【００１８】
表示処理部６は、操作スイッチ１ａ−１〜１ａ−４に対応した模擬映像２ａ−１〜２ａ−４および突起部１ｂに対応した模擬映像２ｂを、表示部２Ａおよび表示部２Ｂのうちの少なくとも一方に表示させる。また、表示処理部６は、制御部５によって操作スイッチの操作が受け付けられると、操作を受け付けた操作スイッチに対応した模擬映像の表示態様を変化させる。例えば、表示処理部６は、制御部５によって操作スイッチ１ａ−１〜１ａ−４のいずれかの操作が受け付けられると、模擬映像２ａ−１〜２ａ−４のうち、操作が受け付けられた操作スイッチに対応する模擬映像の表示態様を、ハイライト表示、点滅表示、ポップアップ表示、ポップダウン表示または押下を模擬した表示に変化させる。
【００１９】
制御部５および表示処理部６の機能は、処理回路によって実現される。例えば、処理回路は、専用のハードウェアであってもよいし、メモリに記憶されたプログラムを実行するＣＰＵ（Ｃｅｎｔｒａｌ  Ｐｒｏｃｅｓｓｉｎｇ  Ｕｎｉｔ）であってもよい。
【００２０】
図５Ａは、操作スイッチ１ａ−１の押下を模擬した模擬映像２ａ−１を示す図である。操作スイッチ１ａ−１の押下操作は、制御部５に受け付けられる。制御部５は、受け付けた操作の内容に応じた表示形態となるように表示処理部６を制御する。例えば、制御部５は、操作スイッチ１ａ−１に対応する模擬映像２ａ−１の表示態様を、押下を模擬した表示に変化させるように表示処理部６に指示する。
【００２１】
表示処理部６は、制御部５の指示に従って、図５Ａに示すように、操作スイッチ１ａ−１の押下に合わせて模擬映像２ａ−１が一定のサイズまで連続的に小さくなるように表示態様を変化させる。この表示態様の変化は、運転者Ａからは恰も模擬映像２ａ−１が押下されたように見えるので、運転者Ａは、操作部１に視線を落とさなくても、手探りで操作した操作スイッチが操作スイッチ１ａ−１であることを確認できる。
【００２２】
図５Ｂは、実施の形態１における操作スイッチ１ａ−１のポップアップ表示を示す図である。例えば、制御部５は、操作スイッチ１ａ−１の押下を受け付けると、操作スイッチ１ａ−１に対応する模擬映像２ａ−１を、ポップアップ表示するように表示処理部６に指示する。表示処理部６は、制御部５の指示に従って、図５Ｂに示すように、操作スイッチ１ａ−１が押下されたタイミングで、模擬映像２ａ−１が一定のサイズまで大きくなるように表示態様を変化させる（ポップアップ表示）。運転者Ａは、模擬映像２ａ−１のポップアップ表示を視認することにより、手探りで操作した操作スイッチが操作スイッチ１ａ−１であることを確認できる。
【００２３】
同様に、表示処理部６は、操作スイッチ１ａ−１の押下に応じて、模擬映像２ａ−１の表示態様を、ハイライト表示、点滅表示またはポップダウン表示に変化させてもよい。
このように表示態様を変化させても、運転者Ａは、手探りで操作した操作スイッチが、操作スイッチ１ａ−１であることを確認できる。
【００２４】
また、突起部１ｂは、操作スイッチ１ａ−１〜１ａ−４よりも突出した形状であれば、操作可能であってもよい。例えば、突起部１ｂは、操作ボタンであってもよく、回転ダイヤルであってもよい。制御部５は、突起部１ｂに対する操作を受け付けて、車載機器４−１〜４−４のうち、操作情報を操作対象の車載機器に出力する。操作対象の車載機器は、制御部５から入力した操作情報に対応する機能を実行する。
突起部１ｂを操作可能とすることで、操作のバリエーションが増え、操作部１を用いて様々な操作が可能となる。例えば、突起部１ｂを、オーディオ機器の音量を調整するボリュームダイヤルとして機能させることができる。この場合、操作スイッチ１ａ−１〜１ａ−４には、オーディオ機器が備える音量調整機能以外の機能の操作を割り当て可能となるので、操作のバリエーションが増加する。
【００２５】
図５Ｃは、実施の形態１における突起部のポップアップ表示を示す図である。例えば、突起部１ｂが押しボタンである場合に、制御部５は、突起部１ｂの押下を受け付けると、突起部１ｂに対応する模擬映像２ｂを、ポップアップ表示するように表示処理部６に指示する。表示処理部６は、制御部５の指示に従い、図５Ｃに示すように、突起部１ｂが押下されたタイミングで、模擬映像２ｂが一定のサイズまで大きくなるように表示態様を変化させる。運転者Ａは、模擬映像２ｂのポップアップ表示を視認することによって、手探りで操作した操作対象が突起部１ｂであることを確認できる。
【００２６】
操作対象の車載機器は、突起部１ｂを用いて制御部５に設定してもよい。例えば、突起部１ｂが押しボタンおよび回転ダイヤルである場合、運転者Ａが、突起部１ｂを押下することで、操作対象の車載機器の選択処理に移行し、突起部１ｂを回転させることにより、車載機器４−１〜４−４の中から、操作対象の車載機器が選択される。そして、運転者Ａが再度突起部１ｂを押下することで、そのときに選択されていた車載機器が、操作対象として制御部５に設定される。なお、操作対象の車載機器の選択には、不図示の入力装置を用いてもよい。例えば、制御部５は、操作対象の車載機器としてエアコンが設定された場合、エアコンの代表的な機能を、操作スイッチ１ａ−１〜１ａ−４および突起部１ｂに割り当てて、これらの機能を示す情報が記載された模擬映像２ａを表示するように表示処理部６に指示する。
【００２７】
図６Ａは、操作対象の車載機器がエアコンであるときの操作部１の模擬映像２ａを示す図である。図６Ａに示す例では、制御部５が、エアコンのオンオフ機能を突起部１ｂに割り当て、風量の調節機能を、操作スイッチ１ａ−１および操作スイッチ１ａ−２に割り当て、温度調節機能を、操作スイッチ１ａ−３および操作スイッチ１ａ−４に割り当てている。
【００２８】
表示処理部６は、制御部５からの指示に従い、図６Ａに示すように、エアコンのオンオフ機能を示す“ＯＮ／ＯＦＦ”というテキスト情報が記載された模擬映像２ｂ、風量の増加調節を示す“＋”が記載された模擬映像２ａ−１、風量の減少調節を示す“−”が記載された模擬映像２ａ−２、温度の下降調節を示す“▽”が記載された模擬映像２ａ−３、および温度の上昇調節を示す“△”が記載された模擬映像２ａ−４を、表示部２Ａおよび表示部２Ｂの少なくとも一方に表示させる。
【００２９】
また、操作対象の車載機器としてオーディオ機器が制御部５に設定されると、制御部５は、オーディオ機器の代表的な機能を、操作スイッチ１ａ−１〜１ａ−４と突起部１ｂに割り当てて、これらの機能を示す情報を模擬映像２ａに表示するように表示処理部６に指示する。
【００３０】
図６Ｂは、操作対象の車載機器がオーディオ機器であるときの操作部の模擬映像を示す図である。図６Ｂに示す例では、制御部５が、オーディオ機器の一時停止と再生の機能を突起部１ｂに割り当て、音量の調節機能を、操作スイッチ１ａ−１および操作スイッチ１ａ−２に割り当て、選曲機能を、操作スイッチ１ａ−３および操作スイッチ１ａ−４に割り当てている。
【００３１】
表示処理部６は、制御部５の指示に従って、図６Ｂに示すように、オーディオ機器の一時停止および再生の機能を示す記号が記載された模擬映像２ｂと、音量の増加調節を示す“＋”が記載された模擬映像２ａ−１と、音量の減少調節を示す“−”が記載された模擬映像２ａ−２と、トラックダウンを示す記号が記載された模擬映像２ａ−３と、トラックアップを示す記号が記載された模擬映像２ａ−４を、表示部２Ａおよび表示部２Ｂの少なくとも一方に表示させる。このように、表示処理部６は、模擬映像２ａ−１〜２ａ−４の表示態様を操作対象の機能ごとに変化させる。これにより、運転者Ａは、操作対象の機能に応じた模擬映像を視認することが可能となる。
【００３２】
前述したように、実施の形態１に係る車載操作装置３は、操作スイッチ１ａ−１〜１ａ−４が周りに配置されて、操作スイッチ１ａ−１〜１ａ−４よりも突出している突起部１ｂを備えており、操作スイッチ１ａ−１〜１ａ−４に対応した模擬映像２ａ−１〜２ａ−４および突起部１ｂに対応した模擬映像２ｂを、表示部２Ａおよび表示部２Ｂの少なくとも一方に表示させる。運転者Ａは、表示部２Ａに表示された模擬映像を見ながら、突起部１ｂを基準としてその周りにある複数の操作スイッチ１ａ−１〜１ａ−４の中から、操作対象の操作スイッチを指の触感で判別できる。これにより、手探りでの操作を容易に行うことができる。
【００３３】
実施の形態１に係る車載操作装置３において、表示処理部６は、制御部５によって操作スイッチ１ａ−１〜１ａ−４のいずれかの操作が受け付けられると、模擬映像２ａ−１〜２ａ−４の中から、操作が受け付けられた操作スイッチに対応する模擬映像の表示態様を、ハイライト表示、点滅表示、ポップアップ表示、ポップダウン表示または押下を模擬した表示に変化させる。この表示態様の変化を視認することによって、運転者Ａは、手探りで操作した操作対象が操作スイッチ１ａ−１〜１ａ−４であることを確認できる。
【００３４】
実施の形態１に係る車載操作装置３において、表示処理部６は、模擬映像２ａ−１〜２ａ−４の表示態様を操作対象の機能ごとに変化させる。これによって、運転者Ａは、操作対象の機能に応じた模擬映像を視認することが可能となる。
【００３５】
実施の形態１に係る車載操作装置３において、突起部１ｂは、操作可能であり、制御部５は、突起部１ｂに対する操作を受け付けて操作情報を操作対象の車載機器に出力する。例えば、突起部１ｂは操作ボタンまたは回転ダイヤルである。これにより、操作のバリエーションが増えるので、操作部１を用いて様々な操作が可能となる。
【００３６】
実施の形態１に係る車載操作装置３において、表示処理部６は、制御部５によって突起部１ｂの操作が受け付けられると、模擬映像２ｂを、ハイライト表示、点滅表示、ポップアップ表示、ポップダウン表示または押下を模擬した表示に変化させる。この表示態様の変化を視認することにより、運転者Ａは、手探りで操作した操作対象が突起部１ｂであることを確認できる。
【００３７】
実施の形態２．
図７は、本発明の実施の形態２に係る車載操作装置３Ａを備えたシステムの構成を示すブロック図である。図７において、図４と同一の構成要素には同一の符号を付して説明を省略する。図７に示すシステムは、表示部２Ａ、表示部２Ｂ、車載操作装置３Ａ、および車載機器４−１〜４−４を備える。なお、図７に示すシステムは、表示部２Ａおよび表示部２Ｂのいずれか一方を備えていればよい。ただし、以下では、上記システムが、表示部２Ａおよび表示部２Ｂの両方を備える場合について説明する。車載操作装置３Ａは、操作部１、制御部５Ａ、表示処理部６Ａおよび検知部７を備える。実施の形態２においても、図１に示した運転者Ａが、車載操作装置３Ａを用いて車載機器を操作する操作者であるものとして説明する。
【００３８】
制御部５Ａは、実施の形態１と同様に、操作スイッチ１ａ−１〜１ａ−４および突起部１ｂのうちのいずれかの操作を受け付けると、車載機器４−１〜４−４のうち、操作対象の車載機器に操作情報を出力する。制御部５Ａは、検知部７によって操作スイッチ１ａ−１〜１ａ−４または突起部１ｂに対する運転者Ａの手の接近または接触が検知されている間、模擬映像２ａを表示するように表示処理部６Ａに指示する。
また、制御部５Ａは、検知部７によって操作スイッチ１ａ−１〜１ａ−４または突起部１ｂに対する運転者Ａの手の接近または接触が検知されなくなった場合に、模擬映像２ａを消すか、表示サイズを縮小するように表示処理部６Ａに指示する。
【００３９】
表示処理部６Ａは、制御部５Ａの指示に従って、検知部７によって操作スイッチ１ａ−１〜１ａ−４または突起部１ｂに対する運転者Ａの手の接近または接触が検知されている間、模擬映像２ａ−１〜２ａ−４および模擬映像２ｂを、表示部２Ａおよび表示部２Ｂの少なくとも一方に表示する。また、表示処理部６Ａは、制御部５Ａの指示に従って、検知部７によって操作スイッチ１ａ−１〜１ａ−４または突起部１ｂに対する運転者Ａの手の接近または接触が検知されなくなった場合に、模擬映像２ａを消すか、表示サイズを縮小する。
【００４０】
検知部７は、操作部１に対する運転者Ａの手の接近または接触を検知して、検知結果を制御部５に出力する。例えば、人の手の接近または接触を検知する近接センサを操作部１の近傍に配置する。検知部７は、この近接センサから入力した検知情報に基づいて、操作部１に対する運転者Ａの手の接近または接触を検知する。また、検知部７は、車内カメラによって逐次撮影された操作部１とその周辺の映像情報から、運転者Ａの手と操作部１との位置関係を画像認識で確認することで、操作部１に対する運転者Ａの手の接近または接触を検知してもよい。
【００４１】
制御部５Ａ、表示処理部６Ａおよび検知部７の機能は、処理回路によって実現される。例えば、処理回路は、専用のハードウェアであってもよいし、メモリに記憶されたプログラムを実行するＣＰＵであってもよい。
【００４２】
図８Ａは、操作部１が使用されないときの模擬映像２ａの表示態様の変化を示す図である。検知部７によって操作部１に対する運転者Ａの手の接近または接触が検知されている間、運転者Ａが、操作部１を操作しようとしている状態であると考えられる。このとき、表示処理部６Ａは、図８Ａの左側に示すように、操作部１を模擬した模擬映像２ａを表示部２Ａおよび表示部２Ｂの少なくとも一方に表示する。
【００４３】
運転者Ａが操作部１を操作する意思がなくても、模擬映像２ａが常に表示された場合、運転者Ａは、模擬映像２ａの表示を煩わしく感じる可能性がある。例えば、表示部２Ａがヘッドアップディスプレイである場合、ヘッドアップディスプレイに模擬映像２ａが常に表示されると、運転者Ａの前方視野に模擬映像２ａが常に存在する。この場合、模擬映像２ａは、運転者Ａの前方視野を妨げて運転の邪魔になる可能性がある。そこで、表示処理部６Ａは、検知部７によって操作部１に対する運転者Ａの手の接近または接触が検知されている間、模擬映像２ａを表示する。これにより、運転者Ａが操作部１を操作しようとしているタイミングで、模擬映像２ａを表示することができる。
【００４４】
一方、運転者Ａが操作部１から手を離して、検知部７によって操作部１に対する運転者Ａの手の接近または接触が検知されなくなった場合、運転者Ａが操作部１を操作する意思がなくなった状態であると考えられる。ただし、一度、操作部１に対して手を接近または接触させているので、運転者Ａには、操作部１を操作しようという将来的な意思があると考えられる。
【００４５】
そこで、表示処理部６Ａは、模擬映像２ａを消すのではなく、模擬映像２ａの表示態様を、図８Ａの右側に示すように、表示サイズを縮小させた模擬映像２ａ’に変化させる。これにより、運転者Ａが操作部１を使用しないときに、模擬映像２ａを、運転者Ａの運転の邪魔にならないサイズに収めることができる。
また、運転者Ａが操作部１から手を離して、検知部７によって操作部１に対する運転者Ａの手の接近または接触が検知されなくなった場合、模擬映像２ａ’を表示せずに、模擬映像２ａの表示を消してもよい。
【００４６】
なお、検知部７によって操作部１に対する運転者Ａの手の接近または接触が検知されてから、一定の時間が経過するまでに操作部１が操作されなかった場合、運転者Ａは、操作部１を操作する意思がない状態であると判断してもよい。この場合、表示処理部６Ａは、模擬映像２ａの表示を消してもよい。また、模擬映像２ａ’が表示されてから一定の時間が経過するまでの間に操作部１が操作されなかった場合に、表示処理部６Ａが、模擬映像２ａ’の表示を消してもよい。
【００４７】
また、表示処理部６Ａが、検知部７によって操作スイッチ１ａ−１〜１ａ−４のいずれかに対する運転者Ａの手の接近または接触が検知されている間、模擬映像２ａ−１〜２ａ−４のうち、運転者Ａの手の接近または接触が検知されている操作スイッチに対応する表示態様を、ハイライト表示、点滅表示、ポップアップ表示、ポップダウン表示または押下を模擬した表示に変化させてもよい。
【００４８】
図８Ｂは、運転者Ａの指が操作スイッチ１ａ−３に接近したときの模擬映像２ａの表示態様の変化を示す図である。制御部５Ａは、検知部７によって操作スイッチ１ａ−３に対する運転者Ａの手の接近または接触が検知されている間、模擬映像２ａ−３の表示態様を変化させるように表示処理部６Ａに指示する。表示処理部６Ａは、制御部５Ａからの指示に従って、例えば、図８Ｂの左側に示す模擬映像２ａ−３の表示態様から、図８Ｂの右側に示すようにハイライト表示に変化させる。運転者Ａは、模擬映像２ａ−３のハイライト表示を視認することにより、手探りで操作しようとしている対象が操作スイッチ１ａ−３であることを確認できる。
【００４９】
この後、制御部５Ａによって操作スイッチ１ａ−１〜１ａ−４のいずれかに対する運転者Ａの操作が受け付けられると、表示処理部６Ａが、模擬映像２ａ−１〜２ａ−４の中から、操作が受け付けられた操作スイッチに対応する表示態様を、ハイライト表示、点滅表示、ポップアップ表示、ポップダウン表示または押下を模擬した表示に変化させてもよい。この模擬映像の表示態様の変化を視認することにより、運転者Ａは、突起部１ｂを基準とした手探りで操作した対象が、操作スイッチであることを確認できる。
【００５０】
例えば、検知部７によって操作スイッチ１ａ−３に対する運転者Ａの手の接近または接触が検知され、模擬映像２ａ−３が通常の表示態様からハイライト表示に変化された状態で、運転者Ａが、突起部１ｂを基準とした手探りで操作スイッチ１ａ−３を押下すると、表示処理部６Ａが、模擬映像２ａ−３のハイライト表示を維持する。一方、操作スイッチ１ａ−３が操作されなければ、表示処理部６Ａは、模擬映像２ａ−３を通常の表示態様に戻す。操作スイッチ１ａ−３が押下された後の模擬映像２ａ−３の表示態様を視認することで、運転者Ａは、操作対象として認識した操作スイッチ１ａ−３を的確に操作できたことを確認できる。
【００５１】
表示処理部６Ａは、操作スイッチ１ａ−１〜１ａ−４に対応した模擬映像２ａ−１〜２ａ−４を、検知部７によって操作スイッチ１ａ−１〜１ａ−４に対する運転者Ａの手の接近または接触が検知された場合と、制御部５Ａによって操作スイッチ１ａ−１〜１ａ−４の操作が受け付けられた場合とで、互いに異なる表示態様に変化させてもよい。
【００５２】
例えば、検知部７によって操作スイッチ１ａ−３に対する運転者Ａの手の接近または接触が検知され、模擬映像２ａ−３が通常の表示態様からハイライト表示に変化された状態で、運転者Ａが、突起部１ｂを基準とした手探りで操作スイッチ１ａ−３を押下すると、表示処理部６Ａが、模擬映像２ａ−３の表示態様を、ハイライト表示から、図５Ａに示したような、押下を模擬した表示態様に変化させる。一方、操作スイッチ１ａ−３が操作されなければ、表示処理部６Ａは、模擬映像２ａ−３を通常の表示態様に戻す。
操作スイッチ１ａ−３が押下された前後の模擬映像２ａ−３の表示態様を視認することで、運転者Ａは、操作対象として認識した操作スイッチ１ａ−３を的確に操作できたことを確認できる。
【００５３】
図８Ｃは、運転者Ａの指が突起部１ｂに接近したときの模擬映像２ａの表示態様の変化を示す図である。制御部５Ａは、検知部７によって突起部１ｂに対する運転者Ａの手の接近または接触が検知されている間、模擬映像２ｂの表示態様を変化させるように表示処理部６Ａに指示する。表示処理部６Ａは、制御部５Ａからの指示に従って、例えば、図８Ｃの左側に示す模擬映像２ｂの表示態様から、図８Ｃの右側に示すようにハイライト表示に変化させる。運転者Ａは、模擬映像２ｂのハイライト表示を視認することにより、手探りで操作しようとしている対象が突起部１ｂであることを確認できる。
【００５４】
この後、制御部５Ａによって突起部１ｂに対する運転者Ａの操作が受け付けられると、表示処理部６Ａが、模擬映像２ｂの表示態様を、ハイライト表示、点滅表示、ポップアップ表示、ポップダウン表示または押下を模擬した表示に変化させてもよい。この模擬映像の表示態様の変化を視認することで、運転者Ａは、手探りで操作した対象が突起部１ｂであることを確認できる。
【００５５】
例えば、検知部７によって突起部１ｂに対する運転者Ａの手の接近または接触が検知され、模擬映像２ｂが通常の表示態様からハイライト表示に変化された状態で、運転者Ａが、突起部１ｂを押下すると、表示処理部６Ａが、模擬映像２ｂのハイライト表示を維持する。一方、突起部１ｂが操作されなければ、表示処理部６Ａは、模擬映像２ｂを通常の表示態様に戻す。突起部１ｂが押下された後の模擬映像２ｂの表示態様を視認することで、運転者Ａは、操作対象として認識した突起部１ｂを的確に操作できたことを確認できる。
【００５６】
表示処理部６Ａは、突起部１ｂに対応した模擬映像２ｂを、検知部７によって突起部１ｂに対する運転者Ａの手の接近または接触が検知された場合と、制御部５Ａによって突起部１ｂの操作が受け付けられた場合とで、互いに異なる表示態様に変化させてもよい。
例えば、検知部７によって突起部１ｂに対する運転者Ａの手の接近または接触が検知され、模擬映像２ｂが通常の表示態様からハイライト表示に変化された状態で、運転者Ａが、突起部１ｂを押下すると、表示処理部６Ａが、模擬映像２ｂの表示態様を、ハイライト表示から、押下を模擬した表示態様に変化させる。一方、突起部１ｂが操作されなければ、表示処理部６Ａは、模擬映像２ｂを通常の表示態様に戻す。突起部１ｂが押下された前後の模擬映像２ｂの表示態様を視認することで、運転者Ａは、操作対象として認識した突起部１ｂを的確に操作できたことを確認できる。
【００５７】
前述したように、実施の形態２に係る車載操作装置３Ａは、操作部１に対する運転者Ａの手の接近または接触を検知する検知部７を備える。表示処理部６Ａは、検知部７によって操作スイッチ１ａ−１〜１ａ−４または突起部１ｂに対する運転者Ａの手の接近または接触が検知されている間、模擬映像２ａ−１〜２ａ−４および模擬映像２ｂを、表示部２Ａおよび表示部２Ｂの少なくとも一方に表示する。また、表示処理部６Ａは、検知部７によって操作スイッチ１ａ−１〜１ａ−４または突起部１ｂに対する運転者Ａの手の接近または接触が検知されなくなった場合に、模擬映像２ａ−１〜２ａ−４および模擬映像２ｂを消すか、表示サイズを縮小する。このように模擬映像２ａの表示を制御することで、運転者Ａが操作部１を操作しようとしたタイミングで、模擬映像２ａを表示することが可能である。また、運転者Ａが操作部１を使用しないときには、模擬映像２ａの表示態様を、運転者Ａの運転の邪魔にならないように変化させることもできる。
【００５８】
実施の形態２に係る車載操作装置３Ａにおいて、表示処理部６Ａが、操作スイッチ１ａ−１〜１ａ−４のうち、検知部７によって運転者Ａの手の接近または接触が検知されている操作スイッチに対応する模擬映像の表示態様を、ハイライト表示、点滅表示、ポップアップ表示、ポップダウン表示または押下を模擬した表示に変化させる。運転者Ａは、模擬映像２ａ−３〜２ａ−４のいずれかの表示態様の変化を視認することで、突起部１ｂを基準とした手探りで操作しようとしている対象が操作スイッチであることを認識できる。
【００５９】
実施の形態２に係る車載操作装置３Ａにおいて、表示処理部６Ａが、制御部５Ａによって操作スイッチ１ａ−１〜１ａ−４のいずれかの操作が受け付けられると、操作が受け付けられた操作スイッチに対応する模擬映像の表示態様を、ハイライト表示、点滅表示、ポップアップ表示、ポップダウン表示または押下を模擬した表示に変化させる。運転者Ａは、模擬映像２ａ−３〜２ａ−４のいずれかの表示態様の変化を視認することで、操作対象として認識した操作スイッチを的確に操作できたことを確認できる。
【００６０】
実施の形態２に係る車載操作装置３Ａにおいて、表示処理部６Ａが、操作スイッチ１ａ−１〜１ａ−４に対応した模擬映像２ａ−１〜２ａ−４を、検知部７によって操作スイッチ１ａ−１〜１ａ−４に対する運転者Ａの手の接近または接触が検知された場合と、制御部５Ａによって操作スイッチ１ａ−１〜１ａ−４の操作が受け付けられた場合とで、互いに異なる表示態様に変化させる。運転者Ａは、操作スイッチが操作された前後の模擬映像の表示態様を視認することで、操作対象として認識した操作スイッチを的確に操作できたことを確認できる。
【００６１】
実施の形態２に係る車載操作装置３Ａにおいて、表示処理部６Ａが、検知部７によって突起部１ｂに対する運転者Ａの手の接近または接触が検知されている間、模擬映像２ｂをハイライト表示、点滅表示、ポップアップ表示、ポップダウン表示または押下を模擬した表示に変化させる。運転者Ａは、模擬映像２ｂの表示態様の変化を視認することにより、手探りで操作しようとしている対象が突起部１ｂであることを認識できる。
【００６２】
実施の形態２に係る車載操作装置３Ａにおいて、表示処理部６Ａが、制御部５Ａによって突起部１ｂの操作が受け付けられると、突起部１ｂに対応する模擬映像２ｂの表示態様を、ハイライト表示、点滅表示、ポップアップ表示、ポップダウン表示または押下を模擬した表示に変化させる。運転者Ａは、模擬映像２ｂの表示態様の変化を視認することで、操作対象として認識した突起部１ｂを的確に操作できたことを確認できる。
【００６３】
実施の形態２に係る車載操作装置３Ａにおいて、表示処理部６Ａが、突起部１ｂに対応した模擬映像２ｂを、検知部７によって突起部１ｂに対する運転者Ａの手の接近または接触が検知された場合と、制御部５Ａによって突起部１ｂの操作が受け付けられた場合とで、互いに異なる表示態様に変化させる。運転者Ａは、突起部１ｂが操作された前後の模擬映像２ｂの表示態様を視認することで、操作対象として認識した突起部１ｂを的確に操作できたことを確認できる。
【００６４】
なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【産業上の利用可能性】
【００６５】
本発明に係る車載操作装置は、手探りでの操作を容易に行うことができるので、様々な車載機器の操作を行う操作装置に利用可能である。
【符号の説明】
【００６６】
１  操作部、１ａ−１，１ａ−２，１ａ−３，１ａ−４  操作スイッチ、１ｂ  突起部、２Ａ，２Ｂ  表示部、２ａ，２ａ'，２ａ−１，２ａ−２，２ａ−３，２ａ−４，２ｂ  模擬映像、３，３Ａ  車載操作装置、４−１，４−２，４−３，４−４  車載機器、５，５Ａ  制御部、６，６Ａ  表示処理部、７  検知部。
【図１】
2019244347.tif 000003
【図２】
2019244347.tif 000004
【図３】
2019244347.tif 000005
【図４】
2019244347.tif 000006
【図５】
2019244347.tif 000007
【図６】
2019244347.tif 000008
【図７】
2019244347.tif 000009
【図８】
2019244347.tif 000010
【手続補正書】
【提出日】令和2年6月1日(2020.6.1)
【手続補正１】
【補正対象書類名】明細書
【補正対象項目名】０００６
【補正方法】変更
【補正の内容】
【０００６】
本発明に係る車載操作装置は、複数の操作スイッチと、複数の操作スイッチによって囲まれた中央部に設けられ、操作スイッチよりも突出している突起部と、複数の操作スイッチに対応した模擬映像と突起部に対応した模擬映像とを表示部に表示させる表示処理部と、操作スイッチの操作を受け付けて操作情報を操作対象の車載機器に出力する制御部を備える。表示処理部は、制御部によって操作スイッチの操作が受け付けられると、複数の操作スイッチに対応した模擬映像の表示態様または突起部に対応した模擬映像の表示態様を変化させ、複数の操作スイッチおよび突起部は、運転席の横の位置に配置され、表示部は、運転席に着座した運転者の前方視野内に配置されている。
【手続補正２】
【補正対象書類名】特許請求の範囲
【補正対象項目名】全文
【補正方法】変更
【補正の内容】
【特許請求の範囲】
【請求項１】
複数の操作スイッチと、
複数の前記操作スイッチによって囲まれた中央部に設けられ、前記操作スイッチよりも突出している突起部と、
複数の前記操作スイッチに対応した模擬映像と前記突起部に対応した模擬映像とを表示部に表示させる表示処理部と、
前記操作スイッチの操作を受け付けて操作情報を操作対象の車載機器に出力する制御部と、を備え、
前記表示処理部は、前記制御部によって前記操作スイッチの操作が受け付けられると、複数の前記操作スイッチに対応した模擬映像の表示態様または前記突起部に対応した模擬映像の表示態様を変化させ、
複数の前記操作スイッチおよび前記突起部は、運転席の横の位置に配置され、
前記表示部は、前記運転席に着座した運転者の前方視野内に配置されていること
を特徴とする車載操作装置。
【請求項２】
前記操作スイッチまたは前記突起部に対する操作者の手の接近または接触を検知する検知部を備え、
前記表示処理部は、
前記検知部によって前記操作スイッチまたは前記突起部に対する操作者の手の接近または接触が検知されている間、複数の前記操作スイッチに対応した模擬映像および前記突起部に対応した模擬映像を前記表示部に表示し、
前記検知部によって前記操作スイッチまたは前記突起部に対する操作者の手の接近または接触が検知されなくなった場合に、複数の前記操作スイッチに対応した模擬映像および前記突起部に対応した模擬映像を消すか、表示サイズを縮小すること
を特徴とする請求項１記載の車載操作装置。
【請求項３】
前記表示処理部は、前記制御部によって前記操作スイッチの操作が受け付けられると、前記操作スイッチに対応した模擬映像の表示態様を、ハイライト表示、点滅表示、ポップアップ表示、ポップダウン表示または押下を模擬した表示に変化させること
を特徴とする請求項１記載の車載操作装置。
【請求項４】
前記操作スイッチまたは前記突起部に対する操作者の手の接近または接触を検知する検知部を備え、
前記表示処理部は、前記検知部によって前記操作スイッチに対する操作者の手の接近または接触が検知されている間、前記操作スイッチに対応した模擬映像の表示態様を、ハイライト表示、点滅表示、ポップアップ表示、ポップダウン表示または押下を模擬した表示に変化させること
を特徴とする請求項１または請求項３記載の車載操作装置。
【請求項５】
前記表示処理部は、前記操作スイッチに対応した模擬映像を、前記検知部によって前記操作スイッチに対する操作者の手の接近または接触が検知された場合と前記制御部によって前記操作スイッチの操作が受け付けられた場合とで、互いに異なる表示態様に変化させること
を特徴とする請求項４記載の車載操作装置。
【請求項６】
前記表示処理部は、複数の前記操作スイッチに対応した模擬映像の表示態様を操作対象の機能ごとに変化させること
を特徴とする請求項１記載の車載操作装置。
【請求項７】
前記突起部は、操作可能であり、
前記制御部は、前記突起部に対する操作を受け付けて操作情報を操作対象の車載機器に出力すること
を特徴とする請求項１記載の車載操作装置。
【請求項８】
前記突起部は、操作ボタンまたは回転ダイヤルであること
を特徴とする請求項７記載の車載操作装置。
【請求項９】
前記表示処理部は、前記制御部によって前記突起部の操作が受け付けられると、前記突起部に対応した模擬映像を、ハイライト表示、点滅表示、ポップアップ表示、ポップダウン表示または押下を模擬した表示に変化させること
を特徴とする請求項７または請求項８記載の車載操作装置。
【請求項１０】
前記操作スイッチまたは前記突起部に対する操作者の手の接近または接触を検知する検知部を備え、
前記表示処理部は、前記検知部によって前記突起部に対する操作者の手の接近または接触が検知されている間、前記突起部に対応した模擬映像を、ハイライト表示、点滅表示または押下を模擬した表示に変化させること
を特徴とする請求項９記載の車載操作装置。
【請求項１１】
前記表示処理部は、前記突起部に対応した模擬映像を、前記検知部によって前記突起部に対する操作者の手の接近または接触が検知された場合と前記制御部によって前記突起部の操作が受け付けられた場合とで、互いに異なる表示態様に変化させること
を特徴とする請求項１０記載の車載操作装置。
【国際調査報告】
2019244347.tif 000011
2019244347.tif 000012
2019244347.tif 000013
2019244347.tif 000014